(57)【特許請求の範囲】
【請求項１】
地山法面(1)に施工してある既設吹付層(2)に、老朽度の点検を兼ねて所定の間隔(W)で法肩から法先に向かう高さ方向に切れ目(3)を入れて凹溝(4)を形成し、その凹溝に吹付法枠工によって逆凸字形に形成した縦梁(5)を設置したことを特徴とする法面における既設モルタルコンクリート吹付面の補修工法。
【請求項２】
地山法面(1)の既設吹付層(2)において、老朽度の点検を兼ねて所定の間隔(W)で法先に向かう高さ方向に複数の切れ目(3)を入れて凹溝(4)を形成し、その凹溝に吹付法枠工によって逆凸字形に形成した縦梁(5)を施し、且つ隣り合う吹付縦梁の間に横梁工を施して逆凸字形の横梁(6)を形成したことを特徴とする法面における既設モルタルコンクリート吹付面の補修工法。
【請求項３】
横梁工の横梁(6)の代わりにグリーンポケット工(7)を施した請求項２記載の法面における既設モルタルコンクリート吹付面の補修工法。
【発明の詳細な説明】
【０００１】
【発明が属する技術分野】
本発明は地山の法面における既設モルタルコンクリート吹付面の補修工法に関するものである。
【０００２】
【従来の技術】
一般に地山は、その地山の風化と崩落を抑制するためにモルタルコンクリートの吹付工法が施工されているが、この工法は長い年月の間に地山と当該吹付層の間に剥離による空隙が発生する場合があり、当初の目的を達成しなくなる。この既設モルタルコンクリート吹付面は、従来は取り壊して再施工を行ってきた。
【０００３】
【発明が解決しようとする課題】
ところが、地山法面のモルタルコンクリート吹付層は、太陽光の輻射熱により、期間の経過と気候条件によって吹付層内面と地山表面の間に空隙が発生したりして老朽化し、やがては、当該吹付層の崩落事故の原因となっている。
そして、既設の吹付層が老朽化した場合は、当該吹付層面積の全体を取り壊した後、新たにモルタルコンクリート吹付工が行われる。しかしながら、吹付層面積の全体のうちには必ずしも吹付層内面と地山法面との間に空隙が生じているとは限らない。また、吹付層全体を取り壊すことは多くの危険が発生すると共に多量の建設廃材が出るので、処分に費用が掛かると共に環境の影響が大きい。
【０００４】
【課題を解決するための手段】
本発明は上記の課題を解決するために提供するものである。
本発明の第１は、地山法面における既設モルタルコンクリート吹付面の補修工法において、法面に施工してある既設吹付層に、老朽度の点検を兼ねて所定の間隔で法肩から法先に向かう高さ方向に切れ目を入れて凹溝を形成し、その凹溝に吹付法枠工によって逆凸字形に形成した縦梁を設置したものである。
【０００５】
本発明の第２は法肩から法先に向かう高さ方向に２条の切れ目を入れて凹溝を形成し、法面における既設モルタルコンクリート吹付面の補修工法において、法面の既設吹付面に老朽度の点検を兼ねて所定の間隔で法先に向かう高さ方向に２条の切れ目を入れて凹溝を形成し、その凹溝に逆凸字形の吹付法枠工を施し、且つ隣り合う吹付法枠の間に逆凸字形の吹付法枠工を施して横梁を形成したものである。
【０００６】
本発明の第３は、第２の発明に係る法面における既設モルタルコンクリート吹付面の補修工法において、横梁工の横梁の代わりにグリーンポケット工を施したものである。
【０００７】
【実施例】
次に、本願発明の実施例を図面によって説明する。１は地山法面、２はモルタルコンクリート吹付層、４は凹溝であり、既設吹付層２の法肩から法先に向かう高さ方向に切り込んだ切れ目３を入れ、その間の吹付層２’を取り壊して除去して形成する。図示例は約200mmの幅ｗｂ内で２条の切れ目３が入っていて、当該２条の切れ目間の吹付層２’を除去して形成してある。５は当該凹溝内に設置した法肩から法先に向かう高さ方向に2条の切れ目を入れて凹溝を形成し、その凹溝に吹付法枠工を施した逆凸字形の縦梁であり、必要に応じて内部に複数の鉄筋５’が内蔵されている。前記縦梁は逆凸字形を成し、細幅部wｂが約200ｍｍ、広幅部wｃが約300mm、吹付層2の表面からの高さhが約300mmに設定してある。
【０００８】
６は所定間隔Ｗで設置した縦梁間ｗaに設けた横梁であり、縦梁5の設置と同じように２条の切れ目３を横方向に切り込んで幅wｂの凹溝４’を形成し、その凹溝内に当該逆凸字形の横梁を設置する。前記横梁6には必要に応じて内部に複数の鉄筋６’が内蔵されている。前記横梁は縦梁５と同形同大に設定してある。
【０００９】
７は前記横梁６の代わり又は当該横梁と共に隣り合う縦梁間に設けたポケットタイプ又はワイドタイプ等のグリーンポケット工である。前記グリーンポケット・ポケットタイプ７の構造は図５に示すとおりである。すなわち、客土袋保持枠７１をアンカーピン７２で地山法面７０に固定し、その保持枠内に客土袋７３を収容し、且つモルタル・コンクリート吹付工２’を施した後に、当該客土袋の上面に設けた植栽孔７４を通じて草本類や樹木７５を植栽してある。
【０００１０】
また、グリーンポケット・ワイドタイプ７の構造は、図６に示すとおりである。すなわち、横長の枠形リブネット７１’をアンカーピン７２で地山法面７０に固定し、その枠形リブネットの中に客土袋７３を収容し、且つモルタル・コンクリート吹付工２’を施した後に、当該客土袋の上面に設けた植栽孔７４を通じて草本類や樹木７５を植栽してある。
【００１１】
【具体的な施工例】
本発明の施工例は次のとおりである。既設のモルタル・コンクリート吹付面２の老朽化していると思われる個所をハンマーの叩打検査、又は小穴を開けてその小穴内にファイバースコープを挿入して検査等、適宜な方法によって吹付層と地山法面との間の空隙の程度を検査する。
そして、補修の必要があると判断した個所及びその周辺において、法肩から法先に向かう高さ方向にコンクリートカッターを用いて２条の切れ目３を約300ｍｍの深さＤに入れ、且つ２条間の吹付層２′を除去して幅ｗｂが200mmの凹溝４を形成し、その凹溝に吹付法枠工を施して凹溝内の幅ｗｂが200mm、露出部の幅ｗｃ約300mm、露出部に高さhが約300mmの逆凸字形の縦梁５を設置し、且つ隣り合う吹付法枠の間に縦梁と同形同大の横梁工を施して横梁６を形成する。なお、前記の深さＤは吹付層の厚さによって300ｍｍ＋αに設定する。
そして、上記の横梁６を設けるためにコンクリートカッターを用いて切れ目を入れて凹溝を形成することは、そのカッターの振動等で吹付層の滑落を引き起こす原因ともなるので最小限に止めることが望ましい。その横梁の代わりに隣り合う横梁間に図３・図４のポケットタイプ、図５のワイドタイプ等のグリーンポケット工７を設ける。
【００１２】
【発明の効果】
本発明は上記の構成であるから、老朽化した地山法面のモルタル・コンクリート吹付層は、最小限の範囲で補修することができる。
また、横梁は必要最小限に止めることによって、コンクリートカッター等による振動等で隣り合う凹溝間の吹付層が滑落する恐れを抑制することができる。
代わりに、隣り合う凹溝間にグリーンポケット工を施すことによって、殺風景のモルタルコンクリート吹付面に緑化が図れて景観の向上が実現できる。
そして、横梁を必要とするところには、縦梁間にグリーンポケット工、ワイドタイプ工を施すことにより、緑化を兼ねた補修効果を上げることができる。
さらに、既設のモルタルコンクリート層を取り壊す個所は縦梁を主体とするものであるから、廃棄量は吹付層の面積全体の取り壊して廃棄するのに比べて排気処分量は圧倒的に少なくて済むものである。これによって、廃棄処分のための費用が低減される。
【図面の簡単な説明】
【図１】本発明に係る法面における既設モルタル・コンクリート吹付面に逆凸字形の縦梁工を施した斜視図である。
【図２】図１の2―2線に沿う拡大断面図である。
【図３】図１の法面における既設モルタル・コンクリート吹付面に逆凸字形の縦梁工と横梁工とグリーンポケット工を施した斜視図である。
【図４】図３の４−４線に沿う断面図である。
【図５】グリーンポケット工のポケットタイプの縦断面図である
【図６】グリーンポケット工のワイドタイプの縦断面図である
【符号の説明】
１  地山法面
２  モルタル・コンクリート吹付層
３  切れ目
４  凹溝
５  逆凸字形の縦梁
６  逆凸字形の横梁
７  グリーンポケット工
【図１】
0003803856.tif 000002
【図２】
0003803856.tif 000003
【図３】
0003803856.tif 000004
【図４】
0003803856.tif 000005
【図５】
0003803856.tif 000006
【図６】
0003803856.tif 000007